(57)【要約】【課題】シートの調整が行われる場合であっても、乗員の手間を省きつつ、読書灯による照明についての乗員の快適性を向上させることを可能にする。【解決手段】輸送用移動体のシートに対応する読書灯４を制御するシートＥＣＵ２０であって、読書灯４の照射方向，照射角度，光の強さを調整する自動調整部２２２と、シート位置を取得する取得部２０５とを備え、自動調整部２２２は、取得部２０５で取得するシート位置の変化に応じて、読書灯４の照射方向，照射角度，光の強さを自動で調整する。【選択図】図３
2020138643.tif 000002
【特許請求の範囲】
【請求項１】
輸送用移動体に設けられて前記輸送用移動体のシートに対応する読書灯（４）を制御する読書灯制御装置であって、
前記シートは、スライド位置及び／又はリクライニング位置であるシート位置を変化可能であり、
前記読書灯は、少なくとも光の照射方向及び照射角度を変化可能であり、
前記読書灯の少なくとも前記照射方向及び照射角度を調整する調整部（２２２，２２２ａ）と、
前記シート位置を取得する取得部（２０５）とを備え、
前記調整部は、前記取得部で取得するシート位置の変化に応じて、前記照射方向及び前記照射角度を自動で調整する読書灯制御装置。
【請求項２】
前記調整部は、前記取得部で取得するシート位置の変化に応じて、前記シートを基準とする目標位置に前記照射方向が向き続けるように、前記照射方向を自動で調整する請求項１に記載の読書灯制御装置。
【請求項３】
前記読書灯は、照射する光の強さも変化可能であり、
前記調整部（２２２）は、前記取得部で取得するシート位置の変化に応じて、前記目標位置と前記読書灯との距離が長くなるのに応じて前記光の強さが強くなるように、前記光の強さを自動で調整する請求項２に記載の読書灯制御装置。
【請求項４】
前記読書灯は、照射する光の強さも変化可能であり、
前記目標位置は、前記シートに着座するユーザが視覚情報を伝達する媒体である視覚情報伝達媒体を利用すると仮定した場合の前記視覚情報伝達媒体の仮想的な位置であり、
前記調整部（２２２ａ）は、前記取得部で取得するシート位置の変化に応じて、前記目標位置における仮想的な前記視覚情報伝達媒体の前記視覚情報を提供する面に対する前記照射方向の入射角度が大きくなるのに応じて前記光の強さが弱くなるように、前記光の強さを自動で調整する請求項２に記載の読書灯制御装置。
【請求項５】
前記目標位置は、前記シートに着座するユーザが視覚情報を伝達する媒体である視覚情報伝達媒体を利用すると仮定した場合の前記視覚情報伝達媒体の仮想的な位置であり、
前記調整部は、前記取得部で取得するシート位置の変化に応じて、前記シートに着座する前記ユーザの仮想的な顔の位置である仮想顔位置に前記照射方向が接近するのに応じて前記光の照射角度を狭く絞るように、前記光の照射角度を自動で調整する請求項２〜４のいずれか１項に記載の読書灯制御装置。
【請求項６】
前記調整部は、前記光の照射角度の自動での調整を、前記照射角度での前記光の照射範囲に前記仮想顔位置が含まれる場合に開始する請求項５に記載の読書灯制御装置。
【請求項７】
所定のトリガを検出するトリガ検出部（２０３）と、
前記トリガ検出部で前記トリガを検出した時点での前記読書灯に対する前記目標位置を初期設定位置と決定する第１初期設定位置決定部（２０４）とを備え、
前記第１初期設定位置決定部で前記初期設定位置を決定してから前記取得部で取得した前記シート位置の変化と、前記第１初期設定位置決定部で決定した前記初期設定位置とから、前記シート位置の変化後の前記目標位置を算出する変化位置算出部（２６１）とを備え、
前記調整部は、前記変化位置算出部で算出した前記シート位置の変化後の前記目標位置に向くように前記照射方向を自動で調整することで、前記取得部で取得するシート位置の変化に応じて、前記シートを基準とする目標位置に前記照射方向が向き続けるように、前記照射方向を自動で調整する請求項２〜６のいずれか１項に記載の読書灯制御装置。
【請求項８】
前記読書灯はユーザ操作によって手動でも前記光を調整可能であり、
前記トリガ検出部は、前記読書灯の点灯後に手動での前記光の調整が終了したことを前記トリガとして検出する請求項７に記載の読書灯制御装置。
【請求項９】
前記読書灯はユーザ操作によって手動でも前記光を調整可能であり、
前記トリガ検出部は、前記読書灯の点灯後に手動での前記光の調整が行われずに規定時間が経過したことを前記トリガとして検出する請求項７又は８に記載の読書灯制御装置。
【請求項１０】
ユーザ別に、前記シート位置と前記光の調整値との対応関係を予め記憶している個人設定記憶部（２０８）と、
前記シートに着座するユーザを認識するユーザ認識部（２０７）と、
前記ユーザ認識部で認識するユーザについての、前記個人設定記憶部に記憶している前記シート位置と前記光の調整値との対応関係をもとに、ユーザ別の前記目標位置の初期設定位置を決定する第２初期設定位置決定部（２０９）とを備え、
前記第２初期設定位置決定部で前記初期設定位置を決定してから前記取得部で取得する前記シート位置の変化と、前記第２初期設定位置決定部で決定した前記初期設定位置とから、前記シート位置の変化後の前記目標位置を算出する変化位置算出部（２６１）とを備え、
前記調整部は、前記変化位置算出部で算出した前記シート位置の変化後の前記目標位置に向くように前記照射方向を自動で調整することで、前記取得部で取得するシート位置の変化に応じて、前記シートを基準とする目標位置に前記照射方向が向き続けるように、前記照射方向を自動で調整する請求項２〜６のいずれか１項に記載の読書灯制御装置。
【請求項１１】
輸送用移動体に設けられて前記輸送用移動体のシートに対応し、少なくとも光の照射方向及び照射角度を変化可能な読書灯（４）と、
前記読書灯を制御する、請求項１〜１０のいずれか１項に記載の読書灯制御装置（２０，２０ａ，２０ｂ）と、を含む読書灯システム。
【発明の詳細な説明】
【技術分野】
【０００１】
本開示は、読書灯制御装置及び読書灯システムに関するものである。
【背景技術】
【０００２】
従来、車両の乗員の手元に光を照射する読書灯が知られている。例えば、特許文献１には、旅客列車の座席を反転させて後列の座席と対座する場合に、反転以前に点灯させていた読書灯を消灯させる技術が開示されている。
【先行技術文献】
【特許文献】
【０００３】
【特許文献１】特開２０１４−１０１１０２号公報
【発明の概要】
【発明が解決しようとする課題】
【０００４】
特許文献１に開示の技術では、自動で読書灯の点消灯を切り替える。しかしながら、特許文献１に開示の技術は、座席のスライド及び／又はリクライニングといった調整に応じた読書灯の調整を自動で行うものではない。よって、座席の調整の具合によっては、乗員の手元を照らすことができなかったり、乗員の顔も照らして乗員に眩しさを感じさせてしまったりするおそれがある。また、読書灯を手動で調整できる場合であっても、乗員が座席の調整の都度、読書灯を手動で調整しなければならない煩わしさが生じる。
【０００５】
この開示のひとつの目的は、シートの調整が行われる場合であっても、乗員の手間を省きつつ、読書灯による照明についての乗員の快適性を向上させることを可能にする読書灯制御装置及び読書灯システムを提供することにある。
【課題を解決するための手段】
【０００６】
上記目的は独立請求項に記載の特徴の組み合わせにより達成され、また、下位請求項は、開示の更なる有利な具体例を規定する。特許請求の範囲に記載した括弧内の符号は、ひとつの態様として後述する実施形態に記載の具体的手段との対応関係を示すものであって、本開示の技術的範囲を限定するものではない。
【０００７】
上記目的を達成するために、本開示の読書灯制御装置は、輸送用移動体に設けられて輸送用移動体のシートに対応する読書灯（４）を制御する読書灯制御装置であって、シートは、スライド位置及び／又はリクライニング位置であるシート位置を変化可能であり、読書灯は、少なくとも光の照射方向及び照射角度を変化可能であり、読書灯の少なくとも照射方向及び照射角度を調整する調整部（２２２，２２２ａ）と、シート位置を取得する取得部（２０５）とを備え、調整部は、取得部で取得するシート位置の変化に応じて、照射方向及び照射角度を自動で調整する。
【０００８】
上記目的を達成するために、本開示の読書灯システムは、輸送用移動体に設けられて輸送用移動体のシートに対応し、少なくとも光の照射方向及び照射角度を変化可能な読書灯（４）と、読書灯を制御する、前述の読書灯制御装置（２０，２０ａ，２０ｂ）と、を含む。
【０００９】
これらによれば、読書灯の少なくとも光の照射方向及び照射角度を、輸送用移動体のスライド位置及び／又はリクライニング位置であるシート位置の変化に応じて、調整部が自動で調整する。よって、シート位置の変化に応じて、乗員の手元を照らすように自動で光の照射方向を調整したり、乗員の顔を照らしにくいように光の照射角度を自動で絞ったりすることが可能になる。その結果、シートの調整が行われる場合であっても、乗員の手間を省きつつ、読書灯による照明についての乗員の快適性を向上させることが可能になる。
【図面の簡単な説明】
【００１０】
【図１】読書灯システム１の概略的な構成の一例を示す図である。
【図２】読書灯４の概略的な構成の一例を示す図である。
【図３】シートユニット２の概略的な構成の一例を示す図である。
【図４】初期設定位置の決定の一例について説明を行うための図である。
【図５】シートＳｅのスライドによるシート位置の変化に対しての変化後目標位置の算出の一例を説明するための図である。
【図６】シートＳｅのリクライニングによるシート位置の変化に対しての変化後目標位置の算出の一例を説明するための図である。
【図７】読書灯４の照射範囲の境界の特定の一例について説明を行うための図である。
【図８】シートＥＣＵ２０での光自動調整関連処理の流れの一例を示すフローチャートである。
【図９】シートユニット２ａの概略的な構成の一例を示す図である。
【図１０】シートユニット２ｂの概略的な構成の一例を示す図である。
【発明を実施するための形態】
【００１１】
図面を参照しながら、開示のための複数の実施形態を説明する。なお、説明の便宜上、複数の実施形態の間において、それまでの説明に用いた図に示した部分と同一の機能を有する部分については、同一の符号を付し、その説明を省略する場合がある。同一の符号を付した部分については、他の実施形態における説明を参照することができる。
【００１２】
（実施形態１）
＜読書灯システム１について＞
以下、本実施形態について図面を用いて説明する。読書灯システム１は、図１に示すように、シートユニット２、シートアクチュエータ３、及び読書灯４を含んでいる。読書灯システム１は、乗用車，バス，鉄道車両，船舶，航空機といった輸送用移動体で用いられる。読書灯システム１は、図１に示すように、輸送用移動体のシートＳｅごとに設けられる構成とすればよい。シートは座席と言い換えることもできる。なお、本実施形態では、輸送用移動体のシートＳｅは、シートＳｅのスライド位置及びリクライニング位置が電動で変化可能である場合を例に挙げて説明を続ける。スライド位置とは、輸送用移動体の前後方向についてのシートＳｅの位置である。リクライニング位置とは、シートＳｅの背もたれの角度である。シートＳｅの背もたれは、シートバックと言い換えることもできる。
【００１３】
シートユニット２は、シートＳｅごとに設けられる。シートユニット２は、シートアクチュエータ３及び読書灯４を制御する。シートユニット２の詳細については、後述する。
【００１４】
シートアクチュエータ３は、シートＳｅごとに設けられる。シートアクチュエータ３は、シートＳｅのスライド位置，リクライニング位置といったシート位置を変化させるためのアクチュエータである。シートアクチュエータ３としては、モータ等を用いる構成とすればよい。以降では、スライド位置を変化させるためのシートアクチュエータ３をスライドモータと呼ぶ。また、リクライニング位置を変化させるためのシートアクチュエータ３をリクライニングモータと呼ぶ。シートアクチュエータ３は、シートユニット２からの指示によって駆動する。
【００１５】
読書灯４は、シートＳｅごとに設けられる。読書灯４は、シートＳｅに着座するユーザが利用する視覚情報伝達媒体に向けて光を照射することを目的とした照明装置である。視覚情報伝達媒体とは、視覚情報を伝達する媒体であって、例えば本，表示機能を有する携帯端末等である。読書灯４は、視覚情報伝達媒体が位置すると推定される領域に光を照射可能な位置に設けられる構成であればよい。一例としては、輸送用移動体の天井といった、シートＳｅよりも上方の位置に設けられるものとする。
【００１６】
読書灯４は、輸送用移動体における位置を固定して設けられる一方、光の照射方向は変化可能に設けられる。一例としては、読書灯４は、シートＳｅの幅方向の軸を中心に回動可能に設けられるものとする。これにより、読書灯４の照射方向は、シートＳｅの幅方向の軸を中心に回転可能となっている。読書灯４の照射方向は、読書灯４の光軸の方向と言い換えることができる。
【００１７】
また、読書灯４は、光の照射角度及び光の強さも変化可能であるものとする。読書灯４の照射角度とは、光軸を中心とした光の広がりの程度であって、ビーム角と言い換えることもできる。読書灯４の光の強さは、光を照射した視覚情報伝達媒体の明るさに関係する単位であればよい。読書灯の光の強さとしては、光束，光度等を用いればよい。読書灯４は、シートユニット２の指示に従って、光の照射方向，照射角度，強さを変化させる。読書灯４の詳細については後述する。
【００１８】
＜読書灯４の概略構成＞
続いて、図２を用いて、読書灯４の概略構成について説明を行う。読書灯４は、図２に示すように、制御部４０、照明部４１、回動アクチュエータ４２、及び絞りアクチュエータ４３を備えている。
【００１９】
照明部４１は、光を照射する。照明部４１は、例えば複数個のＬＥＤを発光させることで光を照射する構成とすればよい。回動アクチュエータ４２は、読書灯４の照射方向を変化させるためのアクチュエータである。回動アクチュエータ４２は、照明部４１をシートＳｅの幅方向の軸を中心に回動させる。回動アクチュエータ４２としては、モータ等を用いる構成とすればよい。絞りアクチュエータ４３は、読書灯４の照射角度を変化させるためのアクチュエータである。絞りアクチュエータ４３は、例えば、照明部４１から出射する光を通す範囲を調整する絞り機構を動作させる構成とすればよい。絞りアクチュエータ４３としては、モータ等を用いる構成とすればよい。
【００２０】
制御部４０は、シートユニット２からの指示に沿って、読書灯４のオンオフを切り替える。また、制御部４０は、シートユニット２からの指示に沿って、読書灯４の照射方向，照射角度，光の強さを変化させる。制御部４０は、シートユニット２からの指示に沿った量だけ回動アクチュエータ４２を駆動させることで、読書灯４の照射方向を変化させればよい。制御部４０は、シートユニット２からの指示に沿った量だけ絞りアクチュエータ４３を駆動させることで、読書灯４の照射角度を変化させればよい。制御部４０は、シートユニット２からの指示に沿った量だけ照明部４１のＬＥＤに与える電流量を変化させることで、読書灯４の光の強さを変化させる。
【００２１】
なお、制御部４０は、照明部４１の複数個のＬＥＤのうちの発光させるＬＥＤの範囲を変化させることで、読書灯４の照射角度を変化させる構成としてもよい。また、制御部４０は、照明部４１の複数個のＬＥＤのうちの発光させるＬＥＤの割合を変化させることで、読書灯４の光の強さを変化させる構成としてもよい。
【００２２】
＜シートユニット２の概略構成＞
続いて、図３を用いてシートユニット２の概略構成について説明を行う。シートユニット２は、図３に示すように、シートＥＣＵ２０及びシートＨＭＩ（Human Machine Interface）２１を備えている。
【００２３】
シートＨＭＩ２１は、シートＳｅに着座する乗員からの各種設定の入力操作を受け付ける。シートＨＭＩ２１は、シートＳｅに着座する乗員からの入力操作を受け付けることが可能な位置に設けられる。一例としては、シートＳｅのアームレストに設けたり、シートＳｅの前方に設けたりすればよい。シートＨＭＩ２１は、読書灯４のオンオフの設定，読書灯４の光の調整設定，シートＳｅのシート位置の設定等を、操作入力部を介して受け付ける。読書灯４の光の調整設定には、照射方向の設定，照射角度の設定，光の強さの設定がある。シートＳｅのシート位置の設定には、スライド位置の設定，リクライニング位置の設定がある。操作入力部の一例としては、メカニカルなスイッチであってもよいし、ディスプレイと一体となったタッチスイッチであってもよい。
【００２４】
シートＨＭＩ２１は、操作入力部を介して受け付けた設定の情報をシートＥＣＵ２０に出力する。なお、乗員からの各種設定は、例えばシートＳｅごとに設けられた通信モジュールを介した近距離無線通信によって、乗員の携帯する多機能携帯電話機等の携帯端末を介して入力された設定を、シートＨＭＩ２１が受け付ける構成としてもよい。また、シートＨＭＩ２１は、シートＳｅに着座する乗員に向けて情報を提示する構成としてもよい。一例として、読書灯４の作動状態等を提示する構成とすればよい。
【００２５】
シートＥＣＵ２０は、例えばプロセッサ、メモリ、Ｉ／Ｏ、これらを接続するバスを備えるマイクロコンピュータを主体として構成され、メモリに記憶された制御プログラムを実行することで読書灯の光の調整，シートＳｅのシート位置の調整といったシート環境についての制御に関する各種の処理を実行する。このシートＥＣＵ２０が読書灯制御装置に相当する。プロセッサがこの制御プログラムを実行することは、制御プログラムに対応する方法が実行されることに相当する。ここで言うところのメモリは、コンピュータによって読み取り可能なプログラム及びデータを非一時的に格納する非遷移的実体的記憶媒体である。非遷移的実体的記憶媒体は、半導体メモリ又は磁気ディスクなどによって実現される。シートＥＣＵ２０の詳細については以下で述べる。
【００２６】
＜シートＥＣＵ２０の概略構成＞
ここで、図３を用いて、シートＥＣＵ２０の概略構成について説明を行う。シートＥＣＵ２０は、シート位置調整部２０１、読書灯調整部２０２、トリガ検出部２０３、第１初期設定位置決定部２０４、取得部２０５、及び特定部２０６を機能ブロックとして備えている。なお、シートＥＣＵ２０が実行する機能の一部又は全部を、１つ或いは複数のＩＣ等によりハードウェア的に構成してもよい。また、シートＥＣＵ２０が備える機能ブロックの一部又は全部は、プロセッサによるソフトウェアの実行とハードウェア部材の組み合わせによって実現されてもよい。
【００２７】
シート位置調整部２０１は、シートアクチュエータ３を駆動させ、シートＳｅのスライド位置，リクライニング位置といったシート位置を調整する。シート位置調整部２０１は、シートＨＭＩ２１で受け付けるシートＳｅのスライド位置の設定，シートＳｅのリクライニング位置の設定に従って、シートＳｅのスライド位置，リクライニング位置を調整する。
【００２８】
読書灯調整部２０２は、読書灯４を制御する。読書灯調整部２０２は、手動調整部２２１及び自動調整部２２２をサブ機能ブロックとして備える。手動調整部２２１は、シートＨＭＩ２１で受け付ける読書灯４のオンオフの設定に沿って、読書灯４にオンオフの指示を行う。手動調整部２２１は、シートＨＭＩ２１で受け付ける読書灯４の光の調整設定に沿って、読書灯４に光の調整の指示を行う。手動調整部２２１の指示に従って読書灯４で行われる光の調整が、ユーザ操作による、手動での光の調整にあたる。
【００２９】
手動調整部２２１は、シートＨＭＩ２１で受け付ける読書灯の照射方向の設定に沿って、読書灯４に光の照射方向の指示を行う。手動調整部２２１は、シートＨＭＩ２１で受け付ける読書灯の光の強さの設定に沿って、読書灯４に光の強さの指示を行う。手動調整部２２１は、シートＨＭＩ２１で受け付ける読書灯の照射角度の設定に沿って、読書灯４に光の照射角度の指示を行う。自動調整部２２２での処理の詳細については後述する。
【００３０】
トリガ検出部２０３は、所定のトリガを検出する。トリガ検出部２０３は、読書灯４の点灯後に手動での光の調整が終了したことをトリガとして検出すればよい。例えば、トリガ検出部２０３は、手動調整部２２１で読書灯４をオンにする指示を行ってから、手動調整部２２１で規定時間以上、光の調整の指示が行われなくなったことを、手動での光の調整が終了したこととしてトリガを検出すればよい。ここで言うところの規定時間とは、光の調整中でないと言える程度の時間間隔であって、任意に設定可能な期間である。読書灯４の点灯後に手動での光の調整が終了したということは、読書灯４の照射方向，照射角度，光の強さといった光の調整が、乗員にとって適切な状態となっていることを示すと考えられる。よって、読書灯４の光の調整が、乗員にとって適切な状態となっていることをトリガとして検出することが可能になる。
【００３１】
また、トリガ検出部２０３は、読書灯４の点灯後に手動での光の調整が行われずに規定時間が経過したことをトリガとして検出してもよい。例えば、トリガ検出部２０３は、手動調整部２２１で読書灯４をオンにする指示を行ってから、手動調整部２２１で光の調整の指示が行われずに前述の規定時間が経過したことをトリガとして検出すればよい。読書灯４の点灯後に手動での光の調整が行われずに規定時間が経過したということは、読書灯４の照射方向，照射角度，光の強さといった光の調整が、乗員にとって既に適切な状態となっていることを示すと考えられる。よって、読書灯４の光の調整が、乗員にとって適切な状態となっていることをトリガとして検出することが可能になる。
【００３２】
第１初期設定位置決定部２０４は、トリガ検出部２０３でトリガを検出した時点（以下、初期設定時点）での読書灯４に対する目標位置を初期設定位置と決定する。ここで言うところの目標位置とは、シートＳｅに着座する乗員が視覚情報伝達媒体を利用すると仮定した場合の視覚情報伝達媒体の仮想的な位置である。視覚情報伝達媒体の位置は、乗員の姿勢及び位置に応じて変化するが、乗員の姿勢及び位置は、シートＳｅのシート位置に応じて変化するものである。つまり、目標位置はシートを基準とした位置と言える。
【００３３】
ここで、図４を用いて、第１初期設定位置決定部２０４での初期設定位置の決定の一例について説明を行う。以降では、輸送用移動体の前後方向をｘ軸，輸送用移動体の上下方向をｙ軸とする。αが読書灯４の位置（以下、読書灯位置α）を示している。読書灯４の位置は固定であるため、以降では読書灯位置αを原点（０，０）とする。βが初期設定位置と決定する目標位置を示している。目標位置βの座標を（Ｘ１，Ｙ１）とする。θ１が読書灯４の照射方向が目標位置βへ向いている場合の、鉛直方向に対するこの照射方向の角度を示している。なお、原点（０，０）の鉛直方向から時計回りの角度であれば正の値，反時計回りの角度であれば負の値とする。Ａが、読書灯位置αから目標位置βまでの距離を示している。
【００３４】
前述したように、初期設定時点では、読書灯４の光の調整が、乗員にとって既に適切な状態となっている筈である。よって、読書灯４の照射方向は、視覚情報伝達媒体を向いている筈である。よって、初期設定時点での読書灯４の照射方向から、θ１の値を算出する。具体的には、読書灯４の回動アクチュエータ４２のモータの基準となる状態からの回転角度から読書灯４の照射方向を特定する。そして、鉛直方向に対する読書灯４の照射方向の角度θ１を算出すればよい。
【００３５】
Ｙ１については、シートＳｅのリクライニング位置に応じた位置となると考えられる。よって、リクライニング位置をもとに、予めシートＥＣＵ２０の不揮発性メモリに格納しておいたシートＳｅのリクライニング位置とＹ１の値との対応関係を参照して、Ｙ１の値を決定すればよい。シートＳｅに着座する乗員の身長に応じてもＹ１の値に変動があるが、代表的な身長に対するＹ１の値を用いる構成とすればよい。なお、シートＨＭＩ２１を介して個々の乗員の身長の情報を取得できる場合には、リクライニング位置と乗員の身長とをもとに、シートＳｅのリクライニング位置と身長とＹ１の値との対応関係を示すマップを参照し、Ｙ１の値を決定する構成とすればよい。
【００３６】
Ｘ１については、Ｘ１＝−Ｙ１／ｔａｎθ１の式から算出する。Ａについては、Ａ＝Ｙ１／ｓｉｎθ１の式から算出する。第１初期設定位置決定部２０４は、初期設定位置として決定した目標位置βの座標（Ｘ１，Ｙ１）＝（−Ｙ１／ｔａｎθ１，Ｙ１）と、初期設定時点での読書灯位置αから目標位置βまでの距離Ａ＝Ｙ１／ｓｉｎθ１をシートＥＣＵ２０の揮発性メモリに格納する。初期設定時点での読書灯位置αから目標位置βまでの距離Ａを、以降は初期照射距離Ａと呼ぶ。
【００３７】
取得部２０５は、シートＳｅのシート位置を取得する。取得部２０５は、スライド位置取得部２５１及びリクライニング位置取得部２５２をサブ機能ブロックとして備える。スライド位置取得部２５１は、シートＳｅのスライド位置をシート位置調整部２０１から取得する。一例としては、基準となる状態からのスライドモータの回転角度をスライド位置として取得すればよい。スライド位置取得部２５１は、トリガ検出部２０３でトリガを検出した時点でのスライド位置を取得し、初期のスライド位置としてシートＥＣＵ２０の揮発性メモリに格納する。また、スライド位置取得部２５１は、スライド位置を逐次取得する。
【００３８】
なお、シートＳｅのスライド位置を手動で変化させることしかできない構成を採用する場合には、シートＳｅにスライド位置を検出するためのセンサを設ける構成とすればよい。そして、このセンサの検出結果から、スライド位置取得部２５１がスライド位置を取得すればよい。
【００３９】
リクライニング位置取得部２５２は、シートＳｅのリクライニング位置をシート位置調整部２０１から取得する。一例としては、基準となる状態からのリクライニングモータの回転角度をリクライニング位置として取得すればよい。リクライニング位置取得部２５２は、トリガ検出部２０３でトリガを検出した時点でのリクライニング位置を取得し、初期のリクライニング位置としてシートＥＣＵ２０の揮発性メモリに格納する。また、リクライニング位置取得部２５２は、リクライニング位置を逐次取得する。
【００４０】
なお、シートのリクライニング位置を手動で変化させることしかできない構成を採用する場合には、シートＳｅにリクライニング位置を検出するためのジャイロセンサ等のセンサを設ける構成とすればよい。そして、このセンサの検出結果から、リクライニング位置取得部２５２がリクライニング位置を取得する構成とすればよい。
【００４１】
特定部２０６は、変化位置特定部２６１、変化距離特定部２６２、照射範囲特定部２６３、及び顔位置特定部２６４をサブ機能ブロックとして備える。変化位置特定部２６１は、初期設定時点からのシート位置の変化に応じて初期設定位置から変化した目標位置を算出することで目標位置を特定する。この変化位置特定部２６１が変化位置算出部に相当する。変化距離特定部２６２は、読書灯位置αから変化後目標位置までの距離（以下、変化距離）を算出することで変化距離を特定する。照射範囲特定部２６３は、読書灯４の照射範囲を特定する。顔位置特定部２６４は、シートＳｅに着座する乗員の仮想的な顔の位置（以下、仮想顔位置）を特定する。
【００４２】
変化位置特定部２６１は、第１初期設定位置決定部２０４で初期設定位置を決定してから取得部２０５で取得したシート位置の変化と、第１初期設定位置決定部２０４で決定した初期設定位置とから、シート位置の変化後の目標位置（以下、変化後目標位置）を算出して変化後目標位置を特定する。
【００４３】
ここで、図５及び図６を用いて、変化位置特定部２６１での変化後目標位置の算出の一例について説明を行う。まず、図５は、シートＳｅのスライドによるシート位置の変化に対しての変化後目標位置の算出の一例を説明するための図である。Ｂが、初期設定時点からのシートＳｅのスライドによるスライド距離を示している。Ｂは、シート位置の変化後に取得部２０５で取得したスライド位置から、初期設定時点に取得部２０５で取得したスライド位置を差し引くことで算出すればよい。βｃが変化後目標位置を示している。βｃの座標を（Ｘ２，Ｙ２）とする。θ１ｃが読書灯４の照射方向が変化後目標位置βｃへ向いている場合の、鉛直方向に対するこの照射方向の角度を示している。なお、原点（０，０）の鉛直方向から時計回りの角度であれば正の値，反時計回りの角度であれば負の値とする。Ａｃが、読書灯位置αから変化後目標位置βｃまでの距離を示している。
【００４４】
シートＳｅのスライドによってシート位置が初期設定時点からｘ軸方向に移動すると、目標位置のＸ座標も、この移動分だけ変化する。よって、Ｘ２については、Ｘ２＝−Ｙ１／ｔａｎθ１＋Ｂの式から算出する。一方、シートＳｅのスライドだけでは、目標位置のＹ座標は変化しない。よって、Ｙ２については、Ｙ２＝Ｙ１から算出する。つまり、シートＳｅのスライドのみの場合には、変化後目標位置βｃの座標（Ｘ２，Ｙ２）＝（−Ｙ１／ｔａｎθ１＋Ｂ，Ｙ１）と算出する。
【００４５】
続いて、図６は、シートＳｅのリクライニングによるシート位置の変化に対しての変化後目標位置の算出の一例を説明するための図である。βｃが変化後目標位置を示している。βｃの座標を（Ｘ２，Ｙ２）とする。θ１ｃが読書灯４の照射方向が変化後目標位置βｃへ向いている場合の、鉛直方向に対するこの照射方向の角度を示している。Ａｃが、読書灯位置αから変化後目標位置βｃまでの距離を示している。θ２が初期設定時点からのシートＳｅのリクライニング位置の変化を示している。θ２は、シート位置の変化後に取得部２０５で取得したリクライニング位置から、初期設定時点に取得部２０５で取得したリクライニング位置を差し引くことで算出すればよい。Ｃｅは、リクライニング時の乗員のから他の回転軸位置を示している。Ｃｅの座標を（Ｘ３，Ｙ３）とする。Ｃは、回転軸位置Ｃｅから変化後目標位置βｃまでの距離を示している。θ３は、回転軸位置Ｃｅからみた変化後目標位置βｃの鉛直方向に対する角度を示している。
【００４６】
Ｘ３については、シートＳｅのスライド位置に応じた位置となると考えられる。よって、スライド位置をもとに、予めシートＥＣＵ２０の不揮発性メモリに格納しておいたシートＳｅのスライド位置とＸ３の値との対応関係を参照して、Ｘ３の値を決定すればよい。シートＳｅに着座する乗員の身長に応じてもＸ３の値に多少の変動があるが、代表的な身長に対するＸ３の値を用いる構成とすればよい。なお、シートＨＭＩ２１を介して個々の乗員の身長の情報を取得できる場合には、スライド位置と乗員の身長とをもとに、シートＳｅのスライド位置と身長とＸ３の値との対応関係を示すマップを参照し、Ｘ３の値を決定する構成とすればよい。
【００４７】
Ｙ３については、シートＳｅの座面と同じ位置であって、シート位置が変化した場合でも変化がないと考えられる。よって、予めシートＥＣＵ２０の不揮発性メモリに格納しておいた固定値を用いる構成とすればよい。Ｃについては、以下の式１から算出する。θ３については、θ３＝ｔａｎ−１・｛（Ｘ１＋Ｘ３）／（Ｙ３−Ｙ１）｝の式から算出する。
【数１】
2020138643.tif 000003
【００４８】
シートＳｅのリクライニングによってシートＳｅのリクライニング位置がθ２だけ変化した場合、回転軸位置Ｃｅを中心にして乗員の傾きも同じようにθ２だけ変化する。厳密には多少のずれがあるものの、実質的には同じ変化量であるため、同じ変化量として扱うことができる。シートＳｅのリクライニングによってシート位置が初期設定時点からｘ軸方向で移動すると、目標位置のＸ座標も、この移動分だけ変化する。よって、Ｘ２については、Ｘ２＝Ｃ・ｓｉｎ（θ２−θ３）＋Ｘ３の式から算出する。Ｙ２については、Ｙ２＝−｛Ｙ３−Ｃ・ｃｏｓ（θ２−θ３）｝の式から算出する。つまり、シートＳｅのリクライニングのみの場合には、変化後目標位置βｃの座標（Ｘ２，Ｙ２）＝（Ｘ２＝Ｃ・ｓｉｎ（θ２−θ３）＋Ｘ３，−｛Ｙ３−Ｃ・ｃｏｓ（θ２−θ３）｝）と算出する。
【００４９】
シートＳｅのスライドとリクライニングとの両方が行われる場合には、以下のようにして、変化後目標位置βｃの座標（Ｘ２，Ｙ２）を算出すればよい。具体的には、θ３，Ｃを算出する際のＸ１として−Ｙ１／ｔａｎθ１＋Ｂの値を用いる構成とすればよい。そして、算出したθ３，Ｃを用いて、Ｘ２＝Ｃｓｉｎ（θ２−θ３）＋Ｘ３，Ｙ２＝−（Ｙ３−Ｃｃｏｓ（θ２−θ３））の式から、座標（Ｘ２，Ｙ２）を算出すればよい。
【００５０】
変化距離特定部２６２は、変化位置特定部２６１で算出して特定した変化後目標位置βｃから、変化距離Ａｃを算出して特定する。変化距離特定部２６２は、以下の式２から変化距離Ａｃを算出すればよい。
【数２】
2020138643.tif 000004
【００５１】
照射範囲特定部２６３は、変化位置特定部２６１で算出して特定した変化後目標位置βｃから、読書灯４の照射範囲を特定する。一例としては、読書灯４の照射範囲の境界を特定すればよい。ここで、図７を用いて、照射範囲特定部２６３での読書灯４の照射範囲の境界の特定の一例について説明を行う。θ４が、読書灯４の照射角度の半分の値を示している。θ４については、初期設定時点で調整された読書灯４の照射角度の調整値から特定すればよい。なお、初期設定時点で調整された読書灯４の光の調整値は、例えば手動調整部２２１がシートＥＣＵ２０の揮発性メモリに記憶しておく構成とすればよい。
【００５２】
原点（０，０）である読書灯位置αと変化後目標位置βｃの座標（Ｘ２，Ｙ２）とを通過する直線の式は、ｙ＝（Ｙ２／Ｘ２）・ｘで表される。よって、本実施形態のｘｙ座標系におけるシートＳｅ寄りの、読書灯４の照射範囲の境界は、ｙ＝（Ｙ２／Ｘ２）・ｘをθ４だけ回転した式で表すことができる。従って、読書灯４の照射範囲の境界は、ｙ＝｛（Ｘ２・ｓｉｎθ４＋Ｙ２・ｃｏｓθ４）／（Ｘ２・ｃｏｓθ４−Ｙ２・ｓｉｎθ４）｝・ｘとして特定すればよい。
【００５３】
顔位置特定部２６４は、変化後目標位置βｃをもとに仮想顔位置を特定する。目標位置と仮想顔位置とは、乗員の姿勢が同じであれば一定の位置関係が成立すると考えられる。よって、リクライニング位置及び変化後目標位置βｃをもとに、予めシートＥＣＵ２０の不揮発性メモリに格納しておいたシートＳｅのリクライニング位置と変化後目標位置βｃと仮想顔位置との対応関係を示すマップを参照し、仮想顔位置を特定する構成とすればよい。本実施形態では、一例として仮想顔位置は、乗員の目の位置とする。以降では、図７に示すように、仮想顔位置をγとし、座標（Ｘ４，Ｙ４）であるものとして説明を続ける。
【００５４】
なお、シートＳｅに着座する乗員の身長に応じても仮想顔位置の値に変動があるが、代表的な身長に対する仮想顔位置の値を用いる構成とすればよい。なお、シートＨＭＩ２１を介して個々の乗員の身長の情報を取得できる場合には、乗員の身長もパラメータに含むマップを参照し、仮想顔位置の値を決定する構成とすればよい。
【００５５】
自動調整部２２２は、取得部２０５で取得するシート位置の変化に応じて、読書灯４の照射方向，照射角度，光の強さを自動で調整する。自動調整部２２２は、目標位置に照射方向が向き続けるように、読書灯４の照射方向を自動で調整する。詳しくは、変化位置特定部２６１で逐次特定する変化後目標位置βｃに照射方向を向けるように、読書灯４の照射方向を自動で調整する。
【００５６】
一例として、自動調整部２２２は、変化位置特定部２６１で逐次特定する変化後目標位置βｃの座標（Ｘ２，Ｙ２）をもとに、θ１ｃ＝ｔａｎ−１・（Ｙ２／Ｘ２）の式から、θ１ｃの値を算出する。そして、自動調整部２２２は、回動アクチュエータ４２の回転角度を、初期設定時点からθ１−θ１ｃの回転角度に変化させることで、読書灯４の照射方向を自動で調整する。これにより、取得部２０５で取得するシート位置の変化に応じて、読書灯４の光の照射方向が目標位置に向き続けることになる。
【００５７】
また、自動調整部２２２は、目標位置と読書灯４との距離が長くなるのに応じて光の強さが強くなるように、読書灯４の光の強さを自動で調整することが好ましい。詳しくは、変化距離特定部２６２で逐次特定する変化距離Ａｃが、初期照射距離Ａよりも長くなるのに応じて光の強さを強くする一方、初期照射距離Ａよりも短くなるのに応じて光の強さを弱くするように、読書灯４の光の強さを自動で調整する。これにより、取得部２０５で取得するシート位置の変化に応じて、読書灯４と視覚情報伝達媒体との距離が変化した場合であっても、視覚情報伝達媒体の明るさを一定に保つことが可能になる。変化距離Ａｃに対する初期照射距離Ａの長さに応じた読書灯４の光の強さの調整の度合いは、読書灯４による目標位置の視覚情報伝達媒体の明るさを一定に保つと推定される度合いとすればよい。
【００５８】
また、自動調整部２２２は、読書灯４の照射角度の自動での調整を、読書灯４からの光の照射範囲に仮想顔位置が含まれる場合に開始することが好ましい。詳しくは、照射範囲特定部２６３で逐次特定する照射範囲と、顔位置特定部２６４で逐次特定する仮想顔位置とから、照射範囲に仮想顔位置が含まれるかを判断し、読書灯４の照射角度の自動での調整を開始する。
【００５９】
一例として、自動調整部２２２は、顔位置特定部２６４で特定する仮想顔位置γの座標（Ｘ４，Ｙ４）を、照射範囲特定部２６３で特定するｙ＝｛（Ｘ２・ｓｉｎθ４＋Ｙ２・ｃｏｓθ４）／（Ｘ２・ｃｏｓθ４−Ｙ２・ｓｉｎθ４）｝・ｘの式のｘ，ｙに代入し、左辺と右辺とをそれぞれ演算する。続いて、左辺の解と右辺の解とを比較する。左辺の解が右辺の解以下となる場合に、照射範囲に仮想顔位置が含まれると判断する。一方、左辺の解が右辺の解よりも大きい場合に、照射範囲に仮想顔位置が含まれないと判断する。そして、照射範囲に仮想顔位置が含まれないと判断する場合は、読書灯４の照射角度を自動では調整しない。一方、照射範囲に仮想顔位置が含まれると判断する場合は、読書灯４の照射角度を自動で狭くする調整を開始する。
【００６０】
これによれば、照射範囲に仮想顔位置が含まれないと判断する場合は、照射角度を絞る調整を開始しないことで、乗員の姿勢の変化なしに視覚情報伝達媒体の位置が多少変動した場合でも、照射範囲から視覚情報伝達媒体を外れにくくすることが可能になる。一方、照射範囲に仮想顔位置が含まれると判断する場合は、読書灯４の光が乗員の目に直接入射する前に照射角度を絞って、乗員に眩しさを感じさせにくくすることが可能になる。よって、必要に応じて乗員に眩しさを感じさせにくくしつつ、照射範囲から視覚情報伝達媒体を外れにくくすることも可能にする。
【００６１】
さらに、自動調整部２２２は、読書灯４の照射角度を自動で狭くする調整を開始する場合には、取得部２０５で取得するシート位置の変化に応じて、仮想顔位置に読書灯４の光の照射方向が接近するのに応じて光の照射角度を狭く絞るように、読書灯４の照射角度を自動で調整することが好ましい。
【００６２】
一例として、自動調整部２２２は、顔位置特定部２６４で特定する仮想顔位置γの座標（Ｘ４，Ｙ４）と、照射方向に相当するｙ＝（Ｙ１／Ｘ１）・ｘの式で表される直線との距離を算出する。具体的には、座標（Ｘ４，Ｙ４）からｙ＝（Ｙ１／Ｘ１）・ｘの式で表される直線に法線を引き、この直線と法線との交点を算出する。そして、この交点と座標（Ｘ４，Ｙ４）ｔの距離を算出する。自動調整部２２２は、算出した距離が短くなるのに応じて、読書灯４の照射角度を自動で狭く絞る調整を行う。照射角度を絞る度合いは、読書灯４の光が直接に乗員の目に入射しないと推定される度合いとすればよい。
【００６３】
これによれば、照射方向が乗員の顔に接近する場合であっても、接近するのに応じて照射角度を絞り、読書灯４の光が乗員の目に直接入射しにくくすることが可能になる。よって、より乗員に眩しさを感じさせにくくすることが可能になる。
【００６４】
＜シートＥＣＵ２０での光自動調整関連処理＞
続いて、図８のフローチャートを用いて、シートＥＣＵ２０でのシート位置に応じた読書灯４の光の自動調節に関連する処理（以下、光自動調整関連処理）の流れの一例について説明を行う。図８のフローチャートは、例えば読書灯４がオンになった場合に開始する構成とすればよい。
【００６５】
まず、ステップＳ１では、トリガ検出部２０３が前述した所定のトリガを検出した場合（Ｓ１でＹＥＳ）には、ステップＳ３に移る。一方、所定のトリガを検出していない場合（Ｓ１でＮＯ）には、ステップＳ２に移る。ステップＳ２では、光自動調整関連処理の終了タイミングであった場合（Ｓ２でＹＥＳ）には、光自動調整関連処理を終了する。一方、光自動調整関連処理の終了タイミングでなかった場合（Ｓ２でＮＯ）には、Ｓ１に戻って処理を繰り返す。光自動調整関連処理の終了タイミングの一例としては、読書灯４がオフになったこと等がある。
【００６６】
ステップＳ３では、第１初期設定位置決定部２０４が、Ｓ１でトリガを検出した初期設定時点での読書灯４に対する目標位置を初期設定位置と決定する。ステップＳ４では、取得部２０５で取得するシート位置が変化した場合（Ｓ４でＹＥＳ）には、ステップＳ５に移る。一方、シート位置が変化していない場合（Ｓ４でＮＯ）には、ステップＳ９に移る。
【００６７】
ステップＳ５では、特定部２０６が、変化後目標位置βｃ，変化距離Ａｃ，照射範囲，仮想顔位置γを特定する。ステップＳ６では、自動調整部２２２が、Ｓ５で特定した仮想顔位置がＳ５で特定した照射範囲に含まれるか否かを判断する。そして、仮想顔位置が照射範囲に含まれる場合（Ｓ６でＹＥＳ）には、ステップＳ７に移る。一方、仮想顔位置が照射範囲に含まれない場合（Ｓ６でＮＯ）には、ステップＳ８に移る。
【００６８】
ステップＳ７では、自動調整部２２２が、シート位置の変化に応じて、読書灯４の照射方向，照射角度，光の強さを自動で調整し、ステップＳ９に移る。一方、ステップＳ８では、自動調整部２２２が、シート位置の変化に応じて、読書灯４の照射方向，光の強さを自動で調整し、ステップＳ９に移る。
【００６９】
ステップＳ９では、光自動調整関連処理の終了タイミングであった場合（Ｓ９でＹＥＳ）には、光自動調整関連処理を終了する。一方、光自動調整関連処理の終了タイミングでなかった場合（Ｓ９でＮＯ）には、Ｓ４に戻って処理を繰り返す。
【００７０】
＜実施形態１のまとめ＞
実施形態１の構成によれば、自動調整部２２２が、変化位置特定部２６１で逐次特定する変化後目標位置βｃに照射方向を向けるように、読書灯４の照射方向を自動で調整する。よって、シート位置の変化に応じて視覚情報伝達媒体の位置が変化した場合でも、この視覚情報伝達媒体に読書灯４の光を向け続けることが可能になる。これにより、初期設定時点で調整された、視覚情報伝達媒体に対する読書灯４の光の適切な照射方向の関係を自動で維持することが可能になる。
【００７１】
また、自動調整部２２２が、変化距離特定部２６２で逐次特定する変化距離Ａｃが、初期照射距離Ａよりも長くなるのに応じて読書灯４の光の強さを強くする一方、初期照射距離Ａよりも短くなるのに応じて光の強さを弱くする。よって、シート位置の変化に応じて読書灯４と視覚情報伝達媒体との距離が変化した場合でも、読書灯４の光による視覚情報伝達媒体の明るさを一定に保つことが可能になる。これにより、初期設定時点で調整された、視覚情報伝達媒体に対する読書灯４の光の適切な強さの関係を自動で維持することが可能になる。
【００７２】
さらに、自動調整部２２２が、仮想顔位置に読書灯４の照射方向が接近するのに応じて光の照射角度を狭く絞る。よって、シート位置の変化に応じて読書灯４の照射方向が乗員の顔に接近する場合でも、乗員の顔を照らしにくいように光の照射角度を自動で絞ることが可能になる。以上のように、実施形態１の構成によれば、シートＳｅの調整が行われる場合であっても、乗員の手間を省きつつ、読書灯４による照明についての乗員の快適性を向上させることが可能になる。
【００７３】
（実施形態２）
実施形態１では、目標位置と読書灯４との距離に応じて読書灯４の光の強さを自動で調整する構成を示したが、必ずしもこれに限らない。例えば、目標位置における仮想的な視覚情報伝達媒体の視覚情報を提供する面に対する読書灯４の照射方向の入射角度に応じて読書灯４の光の強さを自動で調整する構成（以下、実施形態２）としてもよい。以下、実施形態２の構成について説明する。実施形態２の読書灯システム１は、シートユニット２の代わりにシートユニット２ａを含む点を除けば、実施形態１の読書灯システム１と同様である。
【００７４】
ここで、図９を用いて、シートユニット２ａの概略構成を説明する。シートユニット２ａは、図９に示すように、シートＥＣＵ２０ａ及びシートＨＭＩ２１を備えている。シートユニット２ａは、シートＥＣＵ２０の代わりに、シートＥＣＵ２０ａを備える点を除けば、実施形態１のシートユニット２と同様である。
【００７５】
続いて、図９を用いて、シートＥＣＵ２０ａの概略構成を説明する。シートＥＣＵ２０ａは、シート位置調整部２０１、読書灯調整部２０２ａ、トリガ検出部２０３、第１初期設定位置決定部２０４、取得部２０５、及び特定部２０６ａを機能ブロックとして備えている。シートＥＣＵ２０ａは、読書灯調整部２０２及び特定部２０６の代わりに、読書灯調整部２０２ａ及び特定部２０６ａを備える点を除けば、実施形態１のシートＥＣＵ２０と同様である。
【００７６】
特定部２０６ａは、変化位置特定部２６１、照射範囲特定部２６３、及び顔位置特定部２６４をサブ機能ブロックとして備える。特定部２０６ａは、変化距離特定部２６２を備えない点を除けば、実施形態１の特定部２０６と同様である。
【００７７】
読書灯調整部２０２ａは、手動調整部２２１及び自動調整部２２２ａをサブ機能ブロックとして備える。読書灯調整部２０２ａは、自動調整部２２２の代わりに自動調整部２２２ａを備える点を除けば、実施形態１の読書灯調整部２０２と同様である。
【００７８】
自動調整部２２２ａは、読書灯４の光の強さを自動で調整する処理が異なる点を除けば、実施形態１の自動調整部２２２と同様である。以下では、自動調整部２２２ａはでの、読書灯４の光の強さを自動で調整する処理について述べる。
【００７９】
自動調整部２２２ａは、目標位置における仮想的な視覚情報伝達媒体の視覚情報を提供する面に対する読書灯４の照射方向の入射角度に応じて読書灯４の光の強さを自動で調整する。視覚情報伝達媒体の視覚情報を提供する面（以下、視覚情報提供面）とは、視覚情報伝達媒体が本，新聞等の紙媒体であれば紙面である。視覚情報提供面とは、視覚情報伝達媒体が表示機能を有する携帯端末であればディスプレイの表示面である。
【００８０】
視覚情報提供面は、シート位置の変化に応じた乗員の姿勢の変化に応じて傾きが変化する。ここで、自動調整部２２２ａが自動で視覚情報伝達媒体に読書灯４の光を向け続ける筈であるので、視覚情報提供面に対する読書灯４の照射方向の入射角度は、シート位置との間に一定の対応関係を有する。よって、予めシートＥＣＵ２０の不揮発性メモリに、視覚情報提供面に対する読書灯４の照射方向の入射角度とスライド位置，リクライニング位置といったシート位置との対応関係を格納しておけばよい。自動調整部２２２ａは、取得部２０５で取得したシート位置をもとに、この対応関係を参照して、視覚情報提供面に対する読書灯４の照射方向の入射角度を特定すればよい。
【００８１】
そして、自動調整部２２２ａは、特定したこの入射角度が初期設定時点での入射角度よりも大きくなるのに応じて、読書灯４の光の強さが強くなるように自動で調整する。一方、自動調整部２２２ａは、特定したこの入射角度が初期設定時点での入射角度よりも小さくなるのに応じて、読書灯４の光の強さが弱くなるように自動で調整する。
【００８２】
読書灯４の光による視覚情報伝達媒体の明るさは、読書灯４の照射方向の入射角度が小さいほど明るくなる。これに対して、以上の構成によれば、取得部２０５で取得するシート位置の変化に応じて、視覚情報提供面に対する読書灯４の照射方向の入射角度が変化した場合であっても、視覚情報伝達媒体の明るさを一定に保つことが可能になる。視覚情報提供面に対する読書灯４の照射方向の入射角度に応じた読書灯４の光の強さの調整の度合いは、読書灯４による目標位置の視覚情報伝達媒体の明るさを一定に保つと推定される度合いとすればよい。
【００８３】
（実施形態３）
前述の実施形態では、トリガ検出部２０３でトリガを検出した時点での読書灯４に対する目標位置を初期設定位置と決定する構成を示したが、必ずしもこれに限らない。例えば、ユーザ別の個人設定をもとに初期設定位置を決定する構成（以下、実施形態３）としてもよい。以下、実施形態３の構成について説明する。実施形態３の読書灯システム１は、シートユニット２の代わりにシートユニット２ｂを含む点を除けば、実施形態１の読書灯システム１と同様である。
【００８４】
ここで、図１０を用いて、シートユニット２ｂの概略構成を説明する。シートユニット２ｂは、図１０に示すように、シートＥＣＵ２０ｂ及びシートＨＭＩ２１を備えている。シートユニット２ｂは、シートＥＣＵ２０の代わりに、シートＥＣＵ２０ｂを備える点を除けば、実施形態１のシートユニット２と同様である。
【００８５】
続いて、図１０を用いて、シートＥＣＵ２０ｂの概略構成を説明する。シートＥＣＵ２０ｂは、シート位置調整部２０１、読書灯調整部２０２、取得部２０５、特定部２０６、ユーザ認識部２０７、個人設定記憶部２０８、及び第２初期設定位置決定部２０９を機能ブロックとして備えている。シートＥＣＵ２０ｂは、トリガ検出部２０３及び第１初期設定位置決定部２０４を備えない点と、ユーザ認識部２０７、個人設定記憶部２０８、及び第２初期設定位置決定部２０９を備える点とを除けば、実施形態１のシートＥＣＵ２０と同様である。
【００８６】
ユーザ認識部２０７は、シートＳｅに着座するユーザ（つまり、乗員）を認識する。例えば、ユーザ認識部２０７は、シートＨＭＩ２１でシートＳｅに着座しているユーザを選択する入力を受け付けることで、個別のユーザを認識すればよい。他にも、シートＨＭＩ２１を介してユーザの携帯する携帯端末から個別のユーザを認識可能な識別子を取得することで、個別のユーザを認識してもよい。
【００８７】
個人設定記憶部２０８は、ユーザ別に、シート位置と読書灯４の光の調整値との対応関係を予め記憶している。一例としては、シートＳｅをユーザが利用した際に、ユーザ認識部２０７で認識するユーザ別に、手動調整部２２１で指示した光の調整値と、取得部２０５で取得したその指示を行った時点でのシート位置とを対応付けて個人設定記憶部２０８に記憶しておく構成とすればよい。
【００８８】
第２初期設定位置決定部２０９は、ユーザ認識部２０７でユーザを認識すると、認識したユーザについての、個人設定記憶部２０８に記憶している対応関係をもとに、シート位置と読書灯４の光の調整値とを特定する。自動調整部２２２は、特定された調整値に沿って、読書灯４の光を調整する。また、シート位置調整部２０１は、特定されたシート位置にシートＳｅを調整する。つまり、ユーザ別の個人設定に沿ったシート位置及び読書灯４の光の調整を行う。実施形態３では、第２初期設定位置決定部２０９で特定したシート位置及び読書灯４の光の調整値によってシート位置及び読書灯４の光の調整が行われた時点を、初期設定時点とする。そして、第２初期設定位置決定部２０９は、この初期設定時点での読書灯４に対する目標位置を初期設定位置と決定する。
【００８９】
ユーザ別の個人設定に沿ったシート位置及び読書灯４の光の調整が行われる場合、読書灯４の光の調整が、乗員にとって既に適切な状態となっている筈である。よって、読書灯４の照射方向は、視覚情報伝達媒体を向いている筈である。従って、第２初期設定位置決定部２０９でも、初期設定時点での読書灯４に対する目標位置を初期設定位置と決定することができる。
【００９０】
実施形態３の構成によれば、初期設定位置の決定の方法が異なる点を除けば、実施形態１と同様であるので、実施形態１の構成と同様に、シートＳｅの調整が行われる場合であっても、乗員の手間を省きつつ、読書灯４による照明についての乗員の快適性を向上させることが可能になる。
【００９１】
（実施形態４）
前述の実施形態では、読書灯４の照射角度の自動での調整を、読書灯４からの光の照射範囲に仮想顔位置が含まれると判断した場合に開始する構成を示したが、必ずしもこれに限らない。例えば、読書灯４からの光の照射範囲に仮想顔位置が含まれるか否かを判断せず、仮想顔位置に読書灯４の照射方向が接近するのに応じて光の照射角度を狭く絞る構成（以下、実施形態４）としてもよい。この場合、特定部２０６，２０６ａに照射範囲特定部２６３を備えない構成とすればよい。
【００９２】
（実施形態５）
前述の実施形態では、スライド位置とリクライニング位置とのいずれも調整可能なシートＳｅに適用する場合の例を示したが、必ずしもこれに限らない。例えば、スライド位置とリクライニング位置とのいずれか一方のみが調整可能なシートＳｅに適用する構成としてもよい。
【００９３】
また、実施形態４の構成を採用する場合、仮想顔位置に読書灯４の照射方向が接近するのに応じて照射角度を絞る度合いは、読書灯４の光が直接に乗員の目に入射しないと推定される度合いとすればよい。実施形態４の構成であっても、読書灯４の光が乗員の目に直接入射しにくくすることが可能になる。よって、乗員に眩しさを感じさせにくくすることが可能になる。
【００９４】
なお、本開示は、上述した実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。
【符号の説明】
【００９５】
１  読書灯システム、２，２ａ，２ｂ  シートユニット、３  シートアクチュエータ、４  読書灯、２０，２０ａ，２０ｂ  シートＥＣＵ（読書灯制御装置）、２１  シートＨＭＩ、２０１  シート位置調整部、２０２  読書灯調整部、２０３  トリガ検出部、２０４  第１初期設定位置決定部、２０５  取得部、２０６，２０６ａ  特定部、２０７  個人設定記憶部、２０８  第２初期設定位置決定部、２２２，２２２ａ  自動調整部（調整部）、２６１  変化位置特定部（変化位置算出部）
【図１】
2020138643.tif 000005
【図２】
2020138643.tif 000006
【図３】
2020138643.tif 000007
【図４】
2020138643.tif 000008
【図５】
2020138643.tif 000009
【図６】
2020138643.tif 000010
【図７】
2020138643.tif 000011
【図８】
2020138643.tif 000012
【図９】
2020138643.tif 000013
【図１０】
2020138643.tif 000014